(57)【要約】【課題】  無線通信端末局内部の記憶部の規模を増大させず、複数の無線機部を必要とせず、また、利用者の手を煩わせることもなく、無線通信端末局の無線機部を国際ローミング先の送信スペクトラムマスクに適合させることのできる無線通信システムを得る。【解決手段】  無線通信基地局が、複数の識別情報及び該識別情報にそれぞれ対応付けたスペクトラムマスク制御情報を記憶するスペクトラムマスクデータベースを有し、受信した端末局識別情報と一致する上記識別情報に対応する上記スペクトラムマスク制御情報を上記スペクトラムマスクデータベースから読み出して送信し、無線通信端末局が、受信した上記スペクトラムマスク制御情報に基づいて端末局側無線送信部を制御するようにした。【選択図】          図３
2009081632.tif 000002
【特許請求の範囲】
【請求項１】
無線通信基地局と無線通信端末局とが無線通信する無線通信システムであって、
上記無線通信基地局は、複数の識別情報及び該識別情報にそれぞれ対応付けたスペクトラムマスク制御情報を記憶するスペクトラムマスクデータベースと、
端末局識別情報を受信する基地局側無線受信部と、
この基地局側無線受信部の受信した上記端末局識別情報と一致する上記識別情報に対応する上記スペクトラムマスク制御情報を上記スペクトラムマスクデータベースから読み出す指示部と、
この指示部の読み出した上記スペクトラムマスク制御情報を送信する基地局側無線送信部とを備え、
上記無線通信端末局は、該無線通信端末局に対応する上記端末局識別情報を記憶する記憶部と、
この記憶部に記憶した上記端末局識別情報を送信する端末局側無線送信部と、
上記スペクトラムマスク制御情報を受信する端末局側無線受信部と、
この端末局側無線受信部の受信した上記スペクトラムマスク制御情報に基づいて上記端末局側無線送信部を制御する制御部とを備えたことを特徴とする無線通信システム。
【請求項２】
端末局側無線受信部は、無線通信基地局から該無線通信基地局に対応する基地局識別情報を受信し、
端末局側無線送信部は、端末局識別情報と上記基地局識別情報とが異なる場合のみ、上記端末局識別情報を送信することを特徴とする請求項１記載の無線通信システム。
【請求項３】
識別情報はスペクトラムマスクパターンであることを特徴とする請求項１記載の無線通信システム。
【請求項４】
スペクトラムマスク制御情報はピーク送信電力制御量であることを特徴とする請求項１記載の無線通信システム。
【請求項５】
識別情報は、位置情報又は国情報であることを特徴とする請求項１記載の無線通信システム。
【請求項６】
スペクトラムマスク制御情報は使用サブキャリア数及び位置であることを特徴とする請求項１記載の無線通信システム。
【発明の詳細な説明】
【技術分野】
【０００１】
この発明は、無線通信端末局が国際ローミングする際に、無線通信端末局の無線機部をローミング先で規定されたスペクトラムマスクに適合させて無線通信する無線通信システムに関する。
【背景技術】
【０００２】
無線通信システムでは、各国で規定されている送信スペクトラムマスク以下の送信電力で無線信号を送信する必要があるが、各国毎に送信スペクトラムマスクの規定値が異なるため、無線通信端末局は販売国で規定されている送信スペクトラムマスクに適合する無線機部が搭載されている。
【０００３】
従来技術として、無線通信端末局を送信スペクトラムマスクの規定値が異なる国へ国際ローミングさせる際に、利用者が、無線通信端末局の無線機部を国際ローミング先の送信スペクトラムマスクに適合する無線機部へ交換するという方法があった。
【０００４】
また、無線通信端末局が各国の地域情報及びその地域情報にそれぞれ対応する通信設定情報を予め記憶しておき、無線通信端末局が、ローミング先で取得した地域情報及び記憶している地域情報に基づいてローミング先の無線通信システムに対応する通信設定情報を設定する方法がある（例えば、特許文献１参照）。
【０００５】
【特許文献１】特開２００４−２７４７２３号公報（第８頁）
【発明の開示】
【発明が解決しようとする課題】
【０００６】
利用者が無線機部を交換する従来の方法においては、各国の国際ローミング先の送信スペクトラムマスクに適合する無線機部がそれぞれ必要となり、また、無線機部の交換のために利用者の手を煩わせなければならないという問題点があった。
【０００７】
また、特許文献１の無線通信システムにおいては、無線通信端末局内部に各国の地域情報に対応した通信設定情報を全て記憶しておく必要があるので、無線通信端末局内部の記憶部の規模が大きくなってしまうという問題点があった。また、新たな地域情報の追加又は変更等が発生すると、その都度、利用者の所有する無線通信端末局の通信設定情報を追加又は変更しないといけないという問題点があった。
【０００８】
この発明は、上記のような問題点を解消するためになされたもので、無線通信端末局内部の記憶部の規模を増大させず、複数の無線機部を必要とせず、また、利用者の手を煩わせることもなく、無線通信端末局の無線機部を国際ローミング先の送信スペクトラムマスクに適合させることのできる無線通信システムを得ることを目的とするものである。
【課題を解決するための手段】
【０００９】
この発明の請求項１に係る無線通信システムは、無線通信基地局と無線通信端末局とが無線通信する無線通信システムであって、上記無線通信基地局は、複数の識別情報及び該識別情報にそれぞれ対応付けたスペクトラムマスク制御情報を記憶するスペクトラムマスクデータベースと、端末局識別情報を受信する基地局側無線受信部と、この基地局側無線受信部の受信した上記端末局識別情報と一致する上記識別情報に対応する上記スペクトラムマスク制御情報を上記スペクトラムマスクデータベースから読み出す指示部と、この指示部の読み出した上記スペクトラムマスク制御情報を送信する基地局側無線送信部とを備え、上記無線通信端末局は、該無線通信端末局に対応する上記端末局識別情報を記憶する記憶部と、この記憶部に記憶した上記端末局識別情報を送信する端末局側無線送信部と、上記スペクトラムマスク制御情報を受信する端末局側無線受信部と、この端末局側無線受信部の受信した上記スペクトラムマスク制御情報に基づいて上記端末局側無線送信部を制御する制御部とを備えたものである。
【発明の効果】
【００１０】
この発明の請求項１に係る無線通信システムは、無線通信基地局が、複数の識別情報及び該識別情報にそれぞれ対応付けたスペクトラムマスク制御情報を記憶するスペクトラムマスクデータベースを有し、受信した端末局識別情報と一致する上記識別情報に対応する上記スペクトラムマスク制御情報を上記スペクトラムマスクデータベースから読み出して送信し、無線通信端末局が、受信した上記スペクトラムマスク制御情報に基づいて端末局側無線送信部を制御するようにしたので、無線通信端末局内部の記憶部の規模を増大させることや、複数の無線機部を必要とせず、また、利用者の手を煩わせることもなく、無線通信端末局の送信スペクトラムを国際ローミング先の送信スペクトラムマスクに適合させることができる効果がある。
【発明を実施するための最良の形態】
【００１１】
実施の形態１．
図１は、無線通信端末局１（以下、ＭＳ１）がＡ国の無線通信システム１００からＢ国の無線通信システム１０１へ国際ローミングする際の無線通信システムの構成図である。
Ａ国においてＡ国の無線通信基地局２（以下、ＢＳ２）Ａと無線通信していたＭＳ１が、Ｂ国へ移動して国際ローミングすると、ローミング先であるＢ国のＢＳ２Ｂと無線通信するようになるが、ＭＳ１は、ローミング前後においてそれぞれの国の電波法令にて規定されたスペクトラムマスクに適合させて無線信号を送信しなければならない。
【００１２】
図２は、Ａ国及びＢ国でそれぞれ規定されたスペクトラムマスクを示す図であり、それぞれ縦軸がＭＳ１の送信電力、横軸が送信周波数の中心周波数からのオフセット値である。送信無線信号に含まれる周波数成分毎に送信電力が規定されており、ＭＳ１は送信周波数成分毎に規定された送信電力以下で送信する必要がある。
図において、ＭＳ１がＡ国のスペクトラムマスクに適合している場合、同一の周波数においてＢ国のスペクトラムマスクとの差異が最も大きいのは中心周波数からのオフセット値Ｑ１〜Ｑ２の間で、Ａ国のスペクトラムマスクがＰ１、Ｂ国のスペクトラムマスクがＰ２のときである。
Ａ国から移動してきたＭＳ１は、Ｐ１及びＰ２の差分であるＰ３（以下、ピーク送信電力制御量）だけ送信電力を低く設定することにより、Ｂ国の送信スペクトラムマスクに適合することができる。
【００１３】
次に、図３（ａ）はＢＳ２の構成を示すブロック図、図３（ｂ）はＭＳ１の構成を示すブロック図である。
【００１４】
図３（ａ）のスペクトラムマスクデータベース３には、ＢＳ２の設置されている国以外のスペクトラムマスクパターン及びピーク送信電力制御量を要素として各国毎に設定したテーブルを格納している。
【００１５】
ここで、Ａ国のスペクトラムマスクに適合しているＭＳ１ＡがＡ国からＢ国へ国際ローミングする場合には、ＭＳ１の送信電力をＢ国のスペクトラムマスク以下にする必要があるが、Ｂ国のスペクトラムマスクに適合しているＭＳ１ＢがＢ国からＡ国へ国際ローミングする場合には、ＭＳ１ＢのスペクトラムマスクがＡ国のスペクトラムマスクより低いため、送信電力をＰ２まで高くしなくてもＡ国のスペクトラムマスクに適合することができる。
したがって、Ｂ国のＢＳ２Ｂのスペクトラムマスクデータベース３には、Ａ国のスペクトラムマスクパターン及びピーク送信電力制御量を格納する必要があるが、Ａ国のＢＳ２Ａのスペクトラムマスクデータベース３には、Ｂ国のスペクトラムマスクパターン及びピーク送信電力制御量を格納しなくてもよい。
しかしながら、Ｂ国からＡ国へ国際ローミングする際にも、Ａ国のＢＳ２Ａのスペクトラムマスクに合わせて送信電力をＰ２まで高くすると、より高い送信電力で通信ができるようになるため、ＭＳ１Ｂの通信可能範囲を広くすることができるようになる。
【００１６】
図３（ａ）において、基地局側無線受信部４がＭＳ１から上り無線信号２０１を受信すると、受信した上り無線信号２０１に含まれている識別情報としてのＭＳ１のスペクトラムマスクパターン２０２を抽出し、指示部としての送信電力指示制御部５へ通知する。
送信電力指示制御部５は基地局側無線受信部４から通知されたスペクトラムマスクパターン２０２に対応するスペクトラムマスク制御情報としてのピーク送信電力制御量２０３をスペクトラムマスクデータベース３から読み出し、読み出したピーク送信電力制御量２０３を基地局側無線送信部６に通知する。
基地局側無線送信部６は通知されたピーク送信電力制御量２０３、またはＢＳ２Ｂのスペクトラムマスクパターンを含む下り無線信号２０４をＭＳ１へ送信する。
【００１７】
図３（ｂ）において、端末局側無線受信部７はＢＳ２Ｂから送信された下り無線信号２０４を受信すると、受信した下り無線信号２０４からピーク送信電力制御量２０３またはスペクトラムマスクパターン２０５を抽出し、ピーク送信電力制御量２０３を送信電力制御部８へ、スペクトラムマスクパターン２０５をスペクトラムマスクパターン比較部９へ出力する。
スペクトラムマスクパターン比較部９は入力されたスペクトラムマスクパターン２０５とＭＳ１のスペクトラムマスクパターンとを比較し、一致していない場合にはＭＳ１のスペクトラムマスクパターン２０２を端末局側無線送信部１０へ出力する。
また、送信電力制御部８は、入力されたピーク送信電力制御量２０３に基づいたピーク送信電力指示２０６を端末局側無線送信部１０へ出力する。
端末局側無線送信部１０は、上り無線信号２０１をＢＳ２Ｂへ送信する。
【００１８】
次に、ＭＳ１ＡがＡ国からＢ国へ国際ローミングし、ローミング先のＢ国のスペクトラムマスクに適合して通信するまでのＢＳ２ＢとＭＳ１Ａとの間の無線通信制御を図１、図２、図３及び図４のシーケンス図を用いて説明する。
【００１９】
まず、Ａ国のスペクトラムマスクに適合したＭＳ１ＡがＢ国に国際ローミングすると、Ｂ国のＢＳ２Ｂは下り無線信号２０４に含まれるブロードキャストメッセージとしてＢ国のスペクトラムマスクパターンをＭＳ１Ａへ送信する（ＳＴ−１）。
【００２０】
ＭＳ１Ａは下り無線信号２０４を端末局側無線受信部７にて受信し、下り無線信号２０４に含まれるスペクトラムマスクパターン２０５をスペクトラムマスクパターン比較部９に通知する。
スペクトラムマスクパターン２０５を通知されたスペクトラムマスクパターン比較部９はＭＳ１Ａの適合するスペクトラムマスクパターンと比較し、通知されたスペクトラムマスクパターン２０５がＭＳ１Ａの適合するスペクトラムマスクパターンと一致していた場合は処理を終了する。
通知されたスペクトラムマスクパターン２０５がＭＳ１Ａの適合するスペクトラムマスクパターンと一致しなかった場合は、ＭＳ１Ａの適合するスペクトラムマスクパターン２０２を端末局側無線送信部１０より上り無線信号２０１にて送信する（ＳＴ−２）。ここでの上り無線信号２０１の送信は、各国においてスペクトラムマスクの適合が問題とならないような低い送信電力もしくは狭い占有周波数帯域での送信とする。
【００２１】
ＢＳ２Ｂは基地局側無線受信部４にて上り無線信号２０１を受信すると、送信電力指示制御部５は受信した上り無線信号２０１に含まれるＭＳ１の適合するスペクトラムマスクパターン２０２に対応するピーク送信電力制御量２０３をスペクトラムマスクデータベース３から読み出す。
送信電力指示制御部５が読み出したピーク送信電力制御量２０３を基地局側無線送信部６に通知すると、基地局側無線送信部６はピーク送信電力制御量２０３を含む下り無線信号２０４をＭＳ１Ａへ送信する（ＳＴ−３）。
【００２２】
ＭＳ１Ａはピーク送信電力制御量２０３を含む下り無線信号２０４を端末局側無線受信部７にて受信すると、ピーク送信電力制御量２０３を送信電力制御部８に通知する。送信電力制御部８はピーク送信電力制御量２０３に従って端末局側無線送信部１０のピーク送信電力を制御し、ＢＳ２Ｂとの無線通信を行う（ＳＴ−４）。
【００２３】
このようにＭＳ１Ａのピーク送信電力量を制御することによって、利用者の手を煩わせることなく、ＭＳ１Ａの送信電力を国際ローミング先の送信スペクトラムマスクに適合させることが可能となる。
【００２４】
この実施の形態１では、スペクトラムマスクデータベース３はＢＳ２内に存在しているが、スペクトラムマスクデータベースをＢＳ２より上位のサーバが有し、ＢＳ２が上位サーバとの有線通信により必要とするピーク送信電力制御量を取得するようにしてもよい。
【００２５】
上記実施の形態１では、ピーク送信電力制御量は、ローミング前後の両国でそれぞれ規定されたスペクトラムマスクの単純な差異Ｐ３としたが、送信電力制御量を１ｄＢ低くした場合に中心周波数からのオフセットが３次歪み領域では３ｄＢ、５次歪み領域では５ｄＢ低くなる事を考慮した係数をかけた後、送信電力差異が最も大きくなる送信電力の差分を送信電力制御量としてもよい。
例えば３次歪み領域でスペクトラムマスクパターンに３ｄＢの差異がある場合、単純な差異であればピーク送信電力を３ｄＢ下げることになるのに対し、３次歪み領域の係数を用いるとピーク送信電力を１ｄＢ下げるだけでよい。すなわち、３次歪み領域の係数を用いた場合には、単純な差異分だけ送信電力を下げる場合に比べて、より高い送信電力で通信ができるため通信可能範囲を広くすることができるようになる。
【００２６】
また、上記実施の形態１では、Ｂ国のＢＳ２Ｂが下り無線信号２０４に含まれるブロードキャストメッセージとしてＢ国のスペクトラムマスクパターンをＭＳ１へ送信し、ＭＳ１が受信したスペクトラムマスクパターン２０５とＭＳ１の適合するスペクトラムマスクパターンとが一致しているか否かを判断し、一致しなかった場合に、ＭＳ１の適合するスペクトラムマスクパターン２０２をＢＳ２Ｂへ送信することにより、ＢＳ２Ｂでは、一致しなかったスペクトラムマスクパターン２０２に対してピーク送信電力制御量の送信が必要なもののみピーク送信電力制御量を送信するようにしているが、ＢＳ２Ｂのスペクトラムマスクパターンに関係なく、ＭＳ１が、ＭＳ１の適合するスペクトラムマスクパターン２０２をＢＳ２Ｂへ送信し、ＢＳ２Ｂが、受信したＭＳ１のスペクトラムマスクパターン２０２とＢ国のスペクトラムマスクパターンとが一致しているか否かを判断し、一致しなかった場合に、かつ、必要な場合にピーク送信電力制御量をＭＳ１Ａへ送信するようにしてもよい。
【００２７】
また、上記実施の形態１では、ＭＳ１ＡがＢ国に国際ローミングしたときに、Ｂ国のＢＳ２Ｂは下り無線信号２０４に含まれるブロードキャストメッセージとしてＢ国のスペクトラムマスクパターン２０５をＭＳ１へ送信すると、ＭＳ１Ａは、受信したスペクトラムマスクパターン２０５とＭＳ１Ａのスペクトラムマスクパターンとが一致しているか否かを判断し、一致しなかった場合に、ＭＳ１Ａのスペクトラムマスクパターン２０２をＢＳ２Ｂへ送信するようにしたが、ＭＳ１ＡがＢＳ２Ｂから送信される位置情報を受信し、その位置情報がＭＳ１Ａの属する国に含まれるか否かを判断し、含まれなかった場合に、ＭＳ１Ａの位置情報又は国情報を識別情報としてＢＳ２Ｂへ送信し、ＢＳ２Ｂが、受信した位置情報又は国情報に対してピーク送信電力制御量の送信が必要なもののみピーク送信電力制御量をＭＳ１Ａへ送信するようにしてもよい。
ＢＳ２ＢがＭＳ１Ａから国情報を受信する場合のスペクトラムマスクデータベース３には、ＢＳ２Ｂの設置されている国以外の国情報及びピーク送信電力制御量の要素をセットしたテーブルを格納している。
ＢＳ２ＢがＭＳ１Ａから位置情報を受信する場合のスペクトラムマスクデータベース３には、位置情報及び国情報、ＢＳ２Ｂの設置されている国以外の国情報及びピーク送信電力制御量の要素をそれぞれ設定したテーブルを格納しておき、送信電力指示制御部５は、受信した位置情報に基づきスペクトラムマスクデータベース３から国情報を読み出し、読み出した国情報に基づきスペクトラムマスクデータベース３からピーク送信電力制御量を読み出すようにする。
また、ここで、位置情報は、ＭＳ１ＡがＢＳ２Ｂから受信する位置情報ではなく、ＧＰＳ機能にて取得した位置情報であってもよく、この場合は、ＭＳ１Ａに格納されている位置情報と国情報との対応テーブルから識別情報を決定するようにしてもよい。
【００２８】
また、ＭＳ１ＡがＢ国に国際ローミングしたときに、ＭＳ１Ａの位置情報をＢＳ２Ｂへ送信し、ＢＳ２Ｂは、受信したＭＳ１Ａの位置情報がＢ国に含まれるか否かを判断し、含まれなかった場合、かつ、必要な場合にピーク送信電力制御量をＭＳ１Ａへ送信するようにしてもよい。
【００２９】
さらに、ＭＳ１ＡがＢ国に国際ローミングしたときに、ＭＳ１Ａが、ＢＳ２Ｂから送信されるＢＳ２Ｂの位置情報又は国情報を受信し、そのＢＳ２Ｂの位置情報又は国情報がＭＳ１Ａの属する国に含まれるか否かを判断し、ＢＳ２Ｂの位置情報又は国情報がＭＳ１Ａの属する国に含まれなかった場合に、ＭＳ１Ａの位置情報又は国情報をＢＳ２Ｂへ送信するようにし、ＢＳ２Ｂでは、受信した位置情報又は国情報に対応するピーク送信電力制御量をＭＳ１Ａへ送信するようにしてもよい。この場合は、ＭＳ１ＡのＢ国に国際ローミングしたときにのみＢＳ２Ｂに位置情報又は国情報を送信するので、ＢＳ２Ｂでの処理の負荷を低減することができる。
【００３０】
実施の形態２．
実施の形態１の方法は無線通信方式全般に適用可能なものであるが、実施の形態２では特にＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）通信方式であるモバイルＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）適用可能な方法について説明する。
【００３１】
ＯＦＤＭＡ通信方式では、送信帯域内において複数のサブキャリアが割り当てられ通信が行われるが、モバイルＷｉＭＡＸ通信ではさらに無線通信基地局が無線通信端末局に対して使用するサブキャリアの数及び位置の割り当てを行うことが可能である。
【００３２】
モバイルＷｉＭＡＸ端末局が使用するサブキャリア数を制限し、かつ送信周波数の中心近くに割り当てるようにすると、占有周波数帯域幅を狭くした状態となるので、送信波形の３次歪み、５次歪みの領域がスペクトラムマスクパターンの中心付近に現れるようになり、送信電力を制御することなくスペクトラムマスクに適合させることが可能となる。
【００３３】
以下、モバイルＷｉＭＡＸ端末局が国際ローミングする際に、ローミングの前後それぞれの国の電波法令にて規定されたスペクトラムマスクに適合させる方法について説明する。
【００３４】
図５は、モバイルＷｉＭＡＸ端末局が使用するサブキャリア数を制限する前後での送信スペクトラムを示す図であり、縦軸がＭＳ１の送信電力、横軸が送信周波数である。
図６は、ＯＦＤＭＡ通信方式におけるサブキャリア数を制限したときの上りフレームを示す図であり、縦軸がサブキャリア単位の送信周波数、横軸が時間である。
【００３５】
次に、図７（ａ）はＢＳ２Ａの構成を示すブロック図、図７（ｂ）はＭＳ１の構成を示すブロック図である。
【００３６】
図７（ａ）のスペクトラムマスクデータベース３には、ＢＳ２の設置されている国以外のスペクトラムマスクパターン及びＭＳ１の使用サブキャリア数及び位置を要素として各国毎に設定したテーブルを格納している。
【００３７】
図７（ａ）において、基地局側無線受信部４がＭＳ１から上り無線信号２０１を受信すると、受信した上り無線信号２０１に含まれているＭＳ１のスペクトラムマスクパターン２０２を抽出し、指示部としての割り当てサブキャリア制御部１１へ通知する。
割り当てサブキャリア制御部１１は基地局側無線受信部４から通知されたスペクトラムマスクパターン２０２に対応するスペクトラムマスク制御情報としての使用サブキャリア数及び位置２０７をスペクトラムマスクデータベース３から読み出し、読み出した使用サブキャリア数及び位置２０７を基地局側無線送信部６に通知する。
基地局側無線送信部６は通知された使用サブキャリア数及び位置２０７、またはＢＳ２のスペクトラムマスクパターンを含む下り無線信号２０４をＭＳ１へ送信する。
【００３８】
図７（ｂ）において、端末局側無線受信部７はＢＳ２から送信された下り無線信号２０４を受信すると、受信した下り無線信号２０４から使用サブキャリア数及び位置２０７またはスペクトラムマスクパターン２０５を抽出し、使用サブキャリア数及び位置２０７を端末局側無線送信部１０へ、スペクトラムマスクパターン２０５をスペクトラムマスクパターン比較部９へ出力する。
スペクトラムマスクパターン比較部９は入力されたスペクトラムマスクパターン２０５とＭＳ１のスペクトラムマスクパターンとを比較し、一致していない場合にはＭＳ１のスペクトラムマスクパターン２０２を端末局側無線送信部１０へ出力する。
端末局側無線送信部１０は、上り無線信号２０１をＢＳ２へ送信する。
【００３９】
次に、ＭＳ１ＡがＡ国からＢ国へ国際ローミングし、ローミング先のＢ国のスペクトラムマスクに適合して通信するまでのＢＳ２ＢとＭＳ１Ａとの間の無線通信制御を図１、図５、図６及び図７を用いて説明する。
【００４０】
まず、Ａ国のスペクトラムマスクに適合したＭＳ１ＡがＢ国に国際ローミングすると、Ｂ国のＢＳ２Ｂは下り無線信号２０４に含まれるブロードキャストメッセージとしてＢ国のスペクトラムマスクパターンをＭＳ１Ａへ送信する。
【００４１】
ＭＳ１Ａは下り無線信号２０４を端末局側無線受信部７にて受信し、下り無線信号２０４に含まれるスペクトラムマスクパターン２０５をスペクトラムマスクパターン比較部９に通知する。
スペクトラムマスクパターン２０５を通知されたスペクトラムマスクパターン比較部９はＭＳ１Ａの適合するスペクトラムマスクパターンと比較し、通知されたスペクトラムマスクパターン２０５がＭＳ１Ａの適合するスペクトラムマスクパターンと一致していた場合は処理を終了する。
通知されたスペクトラムマスクパターン２０５がＭＳ１Ａの適合するスペクトラムマスクパターンと一致しなかった場合は、ＭＳ１Ａの適合するスペクトラムマスクパターン２０２を端末局側無線送信部１０より上り無線信号２０１にて送信する。ここでの上り無線信号２０１の送信は、モバイルＷｉＭＡＸにおけるレンジング等を用いて各国においてスペクトラムマスクの適合が問題とならないような低い送信電力もしくは狭い占有周波数帯域での送信とする。
【００４２】
ＢＳ２Ｂは基地局側無線受信部４にて上り無線信号２０１を受信すると、割り当てサブキャリア制御部１１は受信した上り無線信号２０１に含まれるＭＳ１Ａの適合するスペクトラムマスクパターン２０２に対応する使用サブキャリア数及び位置２０７をスペクトラムマスクデータベース３から読み出す。
割り当てサブキャリア制御部１１が読み出した使用サブキャリア数及び位置２０７を基地局側無線送信部６に通知すると、基地局側無線送信部６はＭＳ１Ａに対する使用サブキャリア数及び位置２０７の割り当て情報であるＵＬ−ＭＡＰを含む下り無線信号２０４をＭＳ１Ａへ送信する。
【００４３】
ＭＳ１はＵＬ−ＭＡＰを含む下り無線信号２０４を端末局側無線受信部７にて受信すると、端末局側無線受信部７はＵＬ−ＭＡＰから使用サブキャリア数及び位置２０７を抽出し、端末局側無線送信部１０に通知する。端末局側無線送信部１０は使用サブキャリア数及び位置２０７に従って周波数の割り当て領域を制御し、ＢＳ２Ｂとの無線通信を行う。
【００４４】
このようにＭＳ１Ａの使用サブキャリア数及び位置を制御することによって、利用者の手を煩わせることなく、ＭＳ１Ａの送信スペクトラムを国際ローミング先の送信スペクトラムマスクに適合させることが可能となる。
【００４５】
上記実施の形態１では、ピーク送信電力を下げてローミング先のスペクトラムマスクに適合させたため送信電力が下がり通信可能なセル半径が狭くなったが、この実施の形態２では、送信電力を低く設定しないので通信可能なセル半径を広く保つことができる。
【００４６】
上記実施の形態２では、Ａ国に属するＭＳ１ＡがＡ国からＢ国へ移動する場合について説明したが、Ｂ国に属するＭＳ１ＢがＢ国からＡ国へ移動する場合にも、ＭＳ１Ｂ及びＡ国のＢＳ２Ａが上記実施の形態２のＭＳ１Ａ及びＢ国のＢＳ２Ｂと同様の動作をすることで、上記実施の形態２と同様の効果を得ることができる。
【図面の簡単な説明】
【００４７】
【図１】この発明の実施の形態１における無線通信端末局１がＡ国の無線通信システム１００からＢ国の無線通信システム１０１へ国際ローミングする際の無線通信システム構成図である。
【図２】この発明の実施の形態１におけるＡ国及びＢ国でそれぞれ規定されたスペクトラムマスクを示す図である。
【図３】この発明の実施の形態１における無線通信端末局１及び無線通信基地局２の構成を示すブロック図である。
【図４】この発明の実施の形態１における無線通信端末局１が国際ローミングする際の無線通信端末局１及び無線通信基地局２の動作を示すシーケンス図である。
【図５】この発明の実施の形態２におけるモバイルＷｉＭＡＸ端末局が使用するサブキャリア数を制限する前後での送信スペクトラムを示す図である。
【図６】この発明の実施の形態２におけるＯＦＤＭＡ通信方式におけるサブキャリア数を制限したときの上りフレームを示す図である。
【図７】この発明の実施の形態２における無線通信端末局１及び無線通信基地局２の構成を示すブロック図である。
【符号の説明】
【００４８】
１  無線通信端末局
２  無線通信基地局
３  スペクトラムマスクデータベース
４  基地局側無線受信部
５  送信電力指示制御部
６  基地局側無線送信部
７  端末局側無線受信部
８  送信電力制御部
９  スペクトラムマスクパターン比較部
１０  端末局側無線送信部
１１  割り当てサブキャリア制御部
１００  Ａ国の電波法令適用エリア
１０１  Ｂ国の電波法令適用エリア
２０１  上り無線信号
２０２  無線通信端末局の有するスペクトラムマスクパターン
２０３  ピーク送信電力制御量
２０４  下り無線信号
２０５  無線通信基地局が設置されている地域でのスペクトラムマスクパターン
２０６  ピーク送信電力指示
２０７  使用サブキャリア数及び位置
【図１】
2009081632.tif 000003
【図２】
2009081632.tif 000004
【図３】
2009081632.tif 000005
【図４】
2009081632.tif 000006
【図５】
2009081632.tif 000007
【図６】
2009081632.tif 000008
【図７】
2009081632.tif 000009